(57)【要約】【課題】操作性が向上したリモコン装置及び便座装置を提供する。【解決手段】操作入力手段と、取り付け方向に関する方向情報を取得可能な取り付け壁認識手段と、通信手段と、前記操作入力手段からの入力に基づいて前記通信手段から操作情報を送信させる制御手段と、を備え、前記制御手段は、前記方向情報に応じて前記操作入力手段に対応する前記操作情報の割り当てを取替えることを特徴とするリモコン装置が提供される。【選択図】  図６
2010229754.tif 000002
【特許請求の範囲】
【請求項１】
操作入力手段と、
取り付け方向に関する方向情報を取得可能な取り付け壁認識手段と、
通信手段と、
前記操作入力手段からの入力に基づいて前記通信手段から操作情報を送信させる制御手段と、
を備え、
前記制御手段は、前記方向情報に応じて前記操作入力手段に対応する前記操作情報の割り当てを取替えることを特徴とするリモコン装置。
【請求項２】
取り付け壁示唆手段を有するリモコン保持具をさらに備え、
前記取り付け壁認識手段は、前記取り付け壁示唆手段により前記方向情報を入力することを特徴とする請求項１記載のリモコン装置。
【請求項３】
前記リモコン保持具から取り外したときに、最後に取得した前記方向情報を、次に前記リモコン保持具に取り付けられるまで記憶することを特徴とする請求項２記載のリモコン装置。
【請求項４】
前記リモコン保持具から取り外したときに、最後に取得した前記方向情報を、所定時間記憶することを特徴とする請求項２記載のリモコン装置。
【請求項５】
前記所定時間を所定の操作方法で変更可能としたことを特徴とする請求項４記載のリモコン装置。
【請求項６】
表示手段をさらに備え、
前記制御手段は、前記方向情報に応じて、前記表示手段の表示を切替えることを特徴とする請求項１〜５のいずれか１つに記載のリモコン装置。
【請求項７】
請求項１〜６のいずれか1つに記載のリモコン装置と、
前記通信手段から送信された前記操作情報を受信する便座本体と、
を備えたことを特徴とする便座装置。
【発明の詳細な説明】
【技術分野】
【０００１】
本発明は、リモコン装置及び便座装置に関し、特に操作性を向上したリモコン装置及び便座装置に関する。
【背景技術】
【０００２】
従来から温水洗浄便座を遠隔にて操作することができるリモートコントローラー（以下、「リモコン」という）が知られている。具体的には、このリモコンは、トイレブースの壁や扉等に設置され、使用者に操作されることによってその操作に対応した信号を、リモコンに対応した温水洗浄便座に送信し、温水洗浄便座を遠隔にて操作することが出来るようになっている。
【０００３】
このような温水洗浄便座用リモコンに設けられたスイッチの配列は、ユーザーの購入前の製造時などに定められている。したがって、リモコンを操作する使用者は、たとえこのリモコンのスイッチの配列が使用しづらい配列であったとしても、その入力手段に配置されたスイッチの配列のまま使用せざるを得なかった。
【０００４】
また、リモコンの大きさの制約や意匠性の観点から、例えば、洗浄位置（温水洗浄便座における洗浄ノズルの吐水位置）の調整（前後方向）を行うための対になるスイッチを、リモコン上の同一高さ、左右方向に隣り合うように配列しているものがあった。しかし、洗浄位置調整スイッチを左右方向に配列してしまうと、リモコンの取付方向によっては、使用者が操作時に感覚的に違和感を覚えてしまうという問題点があった。
【０００５】
例えば、リモコンに向かって左側に「洗浄位置-前」スイッチを、同右側に「洗浄位置-後」スイッチを配列したリモコン（例えば、特許文献１、２を参照）が、使用者が便座に着座した状態で右手側の壁に設置された場合を想定する。使用者から見て「前（奥）」方向にある洗浄位置調整スイッチを操作すると、温水洗浄便座には「洗浄位置-前」信号が送信され、温水洗浄便座の吐水位置も「前」に移動する。しかしながら、これとは逆に、リモコンが、使用者が便座に着座した状態で左手側の壁に設置された場合は、使用者から見て「前（奥）」にある洗浄位置調整スイッチを操作すると、温水洗浄便座には「洗浄位置-後」の信号が送信され、温水洗浄便座の吐水位置は「後」に移動してしまい、使用者は違和感を覚えてしまう。
【０００６】
一方、リモコンの操作スイッチを、所定の操作により入替えることのできるリモコンも提案されている（例えば、特許文献３を参照）。
【先行技術文献】
【特許文献】
【０００７】
【特許文献１】特開２００４−６０３３２号公報
【特許文献２】特開２００５−１２５４７号公報
【特許文献３】特開２００２−１７１５８３号公報
【発明の概要】
【発明が解決しようとする課題】
【０００８】
本発明は、操作性が向上したリモコン装置及び便座装置を提供する。
【課題を解決するための手段】
【０００９】
第１の発明は、操作入力手段と、取り付け方向に関する方向情報を取得可能な取り付け壁認識手段と、通信手段と、前記操作入力手段からの入力に基づいて前記通信手段から操作情報を送信させる制御手段と、を備え、前記制御手段は、前記方向情報に応じて前記操作入力手段に対応する前記操作情報の割り当てを取替えることを特徴とするリモコン装置である。  
上記のリモコン装置によれば、使用者が温水洗浄便座などの機器をリモコン装置にて遠隔操作する際の操作性が向上し、違和感なく操作することができる。
【００１０】
第２の発明は、第１の発明において、取り付け壁示唆手段を有するリモコン保持具をさらに備え、前記取り付け壁認識手段は、前記取り付け壁示唆手段により前記方向情報を入力することを特徴とする。  
上記のリモコン装置によれば、リモコン保持具に取り付けることにより、取付方向を自動的に取得させることができる。
【００１１】
第３の発明は、第２の発明において、前記リモコン保持具から取り外したときに、最後に取得した前記方向情報を、次に前記リモコン保持具に取り付けられるまで記憶することを特徴とする。  
本リモコン装置によれば、リモコン装置をリモコン保持具から取り外したときに、リモコン装置の取り付けに関する方向情報を記憶することができる。
【００１２】
第４の発明は、第２の発明において、前記リモコン保持具から取り外したときに、最後に取得した前記方向情報を、所定時間記憶することを特徴とする。  
また、第５の発明は、第４の発明において、前記所定時間を所定の操作方法で変更可能としたことを特徴とする。
【００１３】
これらのリモコン装置によれば、リモコン装置をリモコン保持具から取り外したときに、所定時間だけリモコン装置の取り付けの方向情報を記憶することができる。例えば、電池交換や使用者が手に持ってのリモコン装置の操作時に、リモコン装置をリモコン保持具から取り外しての操作も考えられる。リモコン装置がリモコン保持具から取り外されている際には、所定時間（例えば５分）、最後に取り付けられた壁状況に関する方向情報を、記憶することもできる。この所定時間は、所定の操作にて変更することも可能である。
【００１４】
第６の発明は、第１乃至第５のいずれかの発明において、表示手段をさらに備え、前記制御手段は、前記方向情報に応じて、前記表示手段の表示を切替えることを特徴とする。
【００１５】
本リモコン装置によれば、取り付け位置により、リモコン装置の表示を適正に変更することができ、操作性がさらに向上する。
【００１６】
第７の発明は、上記のいずれかのリモコン装置と、前記通信手段から送信された前記操作情報を受信する便座本体と、を備えた便座装置である。  
本便座装置によれば、取り付け位置に応じて操作入力手段及び表示が変更され操作性が向上した便座装置が提供される。
【発明の効果】
【００１７】
本発明によれば、操作性が向上したリモコン装置及び便座装置が提供される。
【図面の簡単な説明】
【００１８】
【図１】本発明の実施形態に係るリモコン装置を例示する正面図である。
【図２】図１に表したリモコン装置の背面図である。
【図３】リモコン保持具の正面図である。
【図４】リモコン保持具を例示する正面図である。
【図５】リモコン装置の回路構成を例示するブロック図である。
【図６】リモコン装置のスイッチ配列変更動作を説明するフローチャートである。
【図７】リモコン装置の他のリモコン保持具を例示する正面図である。
【図８】リモコン装置の他のリモコン保持具を例示する正面図である。
【図９】本発明の実施形態に係る便座装置を設置したトイレ空間を例示する斜視図である。
【図１０】本発明の実施形態に係る便座装置を設置したトイレ空間を例示する他の斜視図である。
【発明を実施するための形態】
【００１９】
以下、図面を参照しつつ本発明の実施形態について説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【００２０】
なお、本願明細書と各図において、既出の図に関して前述したものと同様の要素には同一の符号を付して詳細な説明は適宜省略する。
【００２１】
図１は、本発明の実施形態に係るリモコン装置を例示する正面図である。  
図１に表したように、リモコン装置７０は、筐体５０、スイッチ１０ａ〜１０ｆ（操作入力手段）、表示２０ａ〜２０ｎ、赤外線発光部５９を有する。
【００２２】
スイッチ１０ａ〜１０ｆ（操作入力手段）の押下は、後述する制御手段３８に入力され、表示２０ａ〜２０ｎに表示されるとともに、赤外線発光部５９から、制御する機器に操作情報を送信される。なお、本実施例においては、赤外線により機器を制御する構成を例示しているが、本発明はこれに限定されない。リモコン装置７０が、外部の機器を制御するために情報を送信できればよく、赤外線以外の光、電波などの無線送信の他、有線の送信でもよい。
【００２３】
本実施例においては、筐体５０上に洗浄位置調整スイッチ１０ｅ、１０ｆ（位置を操作する操作入力手段）が略同一高さに横方向に隣り合うように配列されている。ここで、スイッチ１０ｅは「前スイッチ」であり、スイッチ１０ｆは、「後スイッチ」であり、それぞれ、洗浄位置を「前」、「後」に移動操作をするスイッチである。
【００２４】
リモコン装置７０は、さらに、複数のスイッチ１０ａ、１０ｂ、１０ｃ、１０ｄ（操作入力手段）を有する。また、複数の表示２０ａ、２０ｂ、２０ｃ、２０ｄ、２０ｅ、２０ｌ、２０ｍ、２０ｎを有する。なお、表示２０ｌ及び２０ｍは、液晶表示２０ｎにより構成され、後述する制御手段により変更することができる。なお、本実施例においては、液晶表示による構成を例示しているが、本発明はこれに限定されない。リモコン装置７０は、外部に情報を表示できればよく、ＬＥＤなどの他の表示素子でもよい。
【００２５】
図２は、図１に表したリモコン装置の背面図である。  
図２に表したリモコン装置７０は、筐体５０の背面にリモコン保持部５５、電池蓋５１を有する。  
リモコン保持部５５は、右側接点スイッチ５６Ｒ（取付け壁認識手段）、左側接点スイッチ５６Ｌ（取付け壁認識手段）を有し、後述するように、リモコン装置７０を壁や扉等の壁面に設置する際に、リモコン装置７０を壁に保持するために使用する凹部である。また、右側接点スイッチ５６Ｒ（取付け壁認識手段）または左側接点スイッチ５６Ｌ（取付け壁認識手段）により、リモコン装置７０が右壁面、左壁面のいずれに設置されているかの方向情報を検出する。
【００２６】
図３は、図１及び図２に表したリモコン装置のリモコン保持具を例示する正面図である。  
図３に表したように、リモコン保持具６０Ｒは、保持具本体６１、リモコン保持突出部６５Ｒ及び取付け穴６２を有する。また、このリモコン保持突出部６５Ｒは、右突出部６６Ｒを有する。
【００２７】
リモコン保持具６０Ｒは、右側の壁や扉等の右壁面にリモコン装置７０を設置する際に用い、取付け穴６２により、例えば、ねじなどで右壁面に固定する。リモコン装置７０のリモコン保持部５５をリモコン保持突出部６５Ｒに嵌め込むことにより、リモコン装置７０を右壁面に固定する。
【００２８】
その際、リモコン保持部５５の右側接点スイッチ５６Ｒ（取付け壁認識手段）は、リモコン保持突出部６５Ｒに設けられた右突出部６６Ｒ（取付け壁示唆手段）により押下される。この右側接点スイッチ５６Ｒ（取付け壁認識手段）の押下は、リモコン装置７０に設けられた制御手段３８（図５参照）により検出され、リモコン装置７０は、右壁面に設置されたことの方向情報を検出することができる。
【００２９】
図４は、リモコン装置のもうひとつのリモコン保持具を例示する正面図である。    
図４に表したように、リモコン保持具６０Ｌは、保持具本体６１、リモコン保持突出部６５Ｌ、及び取付け穴６２を有する。  
また、リモコン保持突出部６５Ｌは、左突出部６６Ｌ（取付け壁示唆手段）を有する。
【００３０】
リモコン保持具６０Ｌも、左側の壁や扉等の左壁面にリモコン装置７０を設置する際に用い、取付け穴６２により、例えば、ねじなどで左壁面に固定する。リモコン装置７０のリモコン保持部５５をリモコン保持突出部６５Ｌに嵌め込むことにより、リモコン装置７０を左壁面に固定する。
【００３１】
その際、リモコン保持部５５の左側接点スイッチ５６Ｌ（取付け壁認識手段）は、リモコン保持突出部６５Ｌに設けられた左突出部６６Ｌ（取付け壁示唆手段）により押下される。この左側接点スイッチ５６Ｌ（取付け壁認識手段）の押下は、制御手段３８（図５参照）により検出され、リモコン装置７０は、左壁面に設置されたことの方向情報を検出することができる。  
なお、図２〜４においては、リモコン保持部５５、リモコン保持突出部６５Ｒ、６５Ｌが、「逆Ｖ字型」形状の場合を例示しているが、本発明はこれに限定されない。例えば、「逆Ｕ字型」形状など他の形状でもよく、リモコン装置７０を安定に保持できればよい。
【００３２】
また、本実施例においては、右側接点スイッチ５６Ｒ（取付け壁認識手段）と左側接点スイッチ５６Ｌ（取付け壁認識手段）とのいずれかを押下することにより、右壁面または左壁面に取付けられたことを検出（取り付け壁示唆手段）している。
【００３３】
本実施例においては、図３及び図４に表したように、リモコン装置７０の取り付けられる壁に応じて、２枚用意したリモコン保持具６０Ｒ、６０Ｌを、施工時に使い分ける。こうすることにより、リモコン装置７０を取り付けた壁の方向に応じて、最適なスイッチ配列に設定することが可能となる。
【００３４】
図５は、図１及び図２に表したリモコン装置７０の回路構成を例示するブロック図である。  
図５に表したように、リモコン装置７０は、操作入力手段３１、表示手段３２、取付け壁認識手段３５、記憶手段３６、通信手段３７、制御手段３８を有する。
【００３５】
制御手段３８は、マイクロコンピュータ（以下、マイコン）を有し、リモコン装置７０を制御するとともに、赤外線信号３９を送信して外部機器（図示せず）を制御する。操作入力手段３１は、制御手段３８により制御され、リモコン装置７０の操作入力手段、例えばスイッチの押下を制御手段３８に入力する。例えば、図１に例示したリモコン装置７０のスイッチ１０ａ〜ｆの押下を制御手段３８に入力する。
【００３６】
取付け壁認識手段３５は、リモコン装置７０が、右壁面、左壁面のいずれに設置されたかを認識する手段であり、制御手段３８により制御される。すなわち、図３及び図４に表したように、右側接点スイッチ５６Ｒ、左側接点スイッチ５６Ｌなどにより構成される。
【００３７】
表示手段３２は、操作入力手段３１及びリモコン装置７０の状態を表示するもので、制御手段３８により制御され、例えば液晶表示部などにより構成される。  
通信手段３７は、リモコン装置７０が操作入力手段３１の操作入力手段に対応する制御情報を外部機器に送信するもので、本実施例においては、赤外線信号３９を送信する場合を例示している。
【００３８】
記憶手段３６は、リモコン装置７０の設置状態に関する方向情報を記憶するもので、制御手段３８により制御される。例えば、ＥＥＰＲＯＭなどにより構成される。なお、記憶手段３６は、リモコン装置７０の電源をオフした状態でも記憶内容を保持する不揮発性の記憶手段である。また、制御手段３８は、方向情報などを保持するＲＡＭを有する。
【００３９】
制御手段３８は、操作入力手段３１、取付け壁認識手段３５及び記憶手段３６からの入力に応じて、表示手段３２の表示を制御し、記憶手段３６に設置状態に関する方向情報を記憶し、制御情報を通信手段３７を介して、赤外線信号３９を送信する。  
なお、本実施例においては、表示手段３２及び記憶手段を有する場合を例示しているが、これらはなくてもよい。
【００４０】
図６は、図１及び図２に表したリモコン装置のスイッチ配列の変更動作を説明するフローチャートである。  
図６に表したように、リモコン装置７０は、以下に説明する制御手段３８の処理ステップにより取付け壁に関する方向情報を検出する。
【００４１】
まず、制御手段３８は、取付け壁認識手段３５（右側接点スイッチ５６Ｒ、左側接点スイッチ５６Ｌ）の入力により、壁に取付けられたか否かを検出する（ステップＳ１）。
【００４２】
右側接点スイッチ５６Ｒ（取付け壁認識手段）、左側接点スイッチ５６Ｌのいずれかが押下されていれば、壁に取付けられた状態と認識して、次のステップＳ２に進む。右側接点スイッチ５６Ｒ（取付け壁認識手段）、左側接点スイッチ５６Ｌのいずれも押下されていない場合は、壁に取付けられていない状態と認識して、始めの状態に戻り、ステップＳ１を繰り返す。
【００４３】
ステップＳ２においては、右側接点スイッチ５６Ｒ（取付け壁認識手段）が押下されているか否かを判定し、押下されている（Ｙ）場合は、ステップＳ３に進み、押下されていない（Ｎ）場合は、ステップＳ４に進む。  
ステップＳ３においては、操作入力手段３１のスイッチ配列をリモコン装置７０が右壁面に設置された場合の配列、すなわち右配列に設定し、右壁面に設置されたことの方向情報を制御手段３８の内部に保持し、かつ記憶手段３６に記憶する。そして、ステップＳ５に進む。
【００４４】
ステップＳ４においては、操作入力手段３１のスイッチ配列をリモコン装置７０が左壁面に設置された場合の配列、すなわち左配列に設定し、左壁面に設置されたことの方向情報を記憶手段３６に記憶する。そして、ステップＳ５に進む。  
ステップＳ５においては、リモコン装置７０が表示手段３２を有するか否かを判定し、し有する場合は、ステップＳ６に進み、表示手段３２を有しない場合は、処理を終了する。  
ステップＳ６においては、方向情報に基づいて、表示手段３２の表示を変更して終了する。
【００４５】
このように、リモコン装置７０が、記憶手段３６を有する場合は、リモコン装置７０を壁面から取り外したときに、リモコン装置７０の取り付けに関する方向情報を記憶することができる。例えば、電池交換の際や、使用者が手に持ってのリモコン装置７０を操作する時に、リモコン装置７０を壁面から取り外しての操作等も考えられる。リモコン装置７０が壁面から取り外されている際には、最後に取り付けられた壁状況に関する方向情報を、リモコン装置７０が次に壁面に取り付けられるまで記憶することができる。これにより、操作性が向上する。
【００４６】
さらに、リモコン装置７０を壁面から取り外したときに、所定時間だけリモコン装置７０の取り付けの方向情報を記憶することができる。例えば、電池交換や使用者が手に持ってのリモコン装置７０の操作時に、リモコン装置７０を壁面から取り外しての操作も考えられる。リモコン装置７０が壁面から取り外されている際には、所定時間（例えば５分）、最後に取り付けられた壁状況に関する方向情報を、記憶することもできる。この所定時間は、所定の操作にて変更することも可能である。例えば、操作入力手段のスイッチ１０ａ〜ｆの２重押しなどで、この時間を設定するモードに入り、さらに操作入力手段のスイッチ１０ａ〜ｆにより時間を設定することができる。これにより、操作性が向上する。
【００４７】
図７は、リモコン装置の他のリモコン保持具を例示する正面図である。  
図７に表したように、本具体例のリモコン保持具６０ａは、保持具本体６１、リモコン保持突出部６５ａ、取付け穴６２、「ミギ（右）」表示６３及び「ヒダリ（左）」表示６４を有する。なお、ミギ表示６３とヒダリ表示６４とは、互いに上下逆に設けられている。そのため、例えば、ミギ表示６３が正しく読み取れるように、リモコン保持具６０ａを配置した場合、ヒダリ表示６４は上下逆の状態となる。同様に、ヒダリ表示６４が正しく読み取れるように、リモコン保持具６０ａを配置した場合、ミギ表示６３は上下逆の状態となる。
【００４８】
また、リモコン保持突出部６５ａは、右突出部６６Ｒ（取付け壁示唆手段）及び左突出部６６Ｌ（取付け壁示唆手段）を有する。ミギ表示６３及びヒダリ表示６４と同様に、右突出部６６Ｒ（取付け壁示唆手段）と左突出部６６Ｌ（取付け壁示唆手段）とは、互いに上下逆に設けられている。そのため、例えば、ミギ表示６３が正しく読み取れるように、リモコン保持具６０ａを配置した場合、右突出部６６Ｒ（取付け壁示唆手段）が上方を向き、図３に表したリモコン保持具６０Ｒと同様に機能する。
【００４９】
リモコン保持具６０ａは、壁や扉等の壁面にリモコン装置７０を設置する際に用い、取付け穴６２により、例えば、ねじなどで右壁面または左壁面に固定する。その際、右壁面に設置する場合は、ミギ表示６３が正しく読み取れるように配置して設置する。リモコン装置７０のリモコン保持部５５をリモコン保持突出部６５ａに嵌め込むことにより、リモコン装置７０を右壁面に固定する。その際、リモコン保持部５５の右側接点スイッチ５６Ｒ（取付け壁認識手段）は、リモコン保持突出部６５ａに設けられた右突出部６６Ｒ（取付け壁示唆手段）により押下される。この右側接点スイッチ５６Ｒ（取付け壁認識手段）の押下は、制御手段３８により検出され、リモコン装置７０は、右壁面に設置されたことの方向情報を検出することができる。
【００５０】
同様に、リモコン保持具６０ａを、例えば、ヒダリ表示６４が正しく読み取れるように、リモコン保持具６０ａを配置した場合、左突出部６６Ｌ（取付け壁示唆手段）が上方を向き、図４に表したリモコン保持具６０Ｌと同様に機能する。  
この場合、リモコン装置７０がリモコン保持具６０ａにより、左壁面に設置されたことの方向情報を検出する原理は、上記のリモコン保持具６０Ｌと同様なので説明を省略する。
【００５１】
図８は、リモコン装置の他のリモコン保持具を例示する正面図である。  
図８に表したように、リモコン保持具６０ｂは、保持具本体６１、リモコン保持突出部６５ｂ及び取付け穴６２を有する。
【００５２】
リモコン保持突出部６５ｂには、右突出部６６Ｒ及び左突出部６６Ｌを設け、さらに、それらの根元に、右突出部６６Ｒ及び左突出部６６Ｌを切り取るための補佐手段６７Ｒ、６７Ｌが設けられている。補佐手段６７Ｒ、６７Ｌは、例えば、切り込みやノッチなどとすることができる。
【００５３】
リモコン保持具６０ｂは、壁や扉等の壁面にリモコン装置７０を設置する際に用い、取付け穴６２により、例えば、ねじなどで右壁面または左壁面に固定する。その際、例えば、右壁面に設置する場合は、補佐手段６７Ｌにより左突出部６６Ｌを切り取って用いる。  リモコン装置７０のリモコン保持部５５をリモコン保持突出部６５ｂに嵌め込むことにより、リモコン装置７０を右壁面に固定する。
【００５４】
その際、リモコン保持部５５の右側接点スイッチ５６Ｒ（取付け壁認識手段）は、リモコン保持突出部６５ｂに設けられた右突出部６６Ｒ（取付け壁示唆手段）により押下される。この右側接点スイッチ５６Ｒ（取付け壁認識手段）の押下は、制御手段３８により検出され、リモコン装置７０は、右壁面に設置されたことの方向情報を検出することができる。
【００５５】
同様に、リモコン保持具６０ｂを、左壁面に設置する場合は、補佐手段６７Ｒにより右突出部６６Ｒを切り取って用いる。制御手段３８が、方向情報を検出する原理は上記と同様なので説明を省略する。
なお、図７及び図８に例示したリモコン保持具６０ａ、６０ｂにおいては、取り付け穴６２を、上方に１つ、下方に２つ設けたが、図３、４に表したリモコン保持具６０Ｒ、６０Ｌと同様に、上方に２つ、下方に１つ設けてもよい。
【００５６】
図９は、本発明の実施形態に係る便座装置を設置したトイレ空間を例示する斜視図である。  
図９に表したように、本実施例の便座装置８０は、リモコン装置７０及び便座本体９１とを有する。
【００５７】
図９においては、リモコン装置７０が便座本体９１に座った使用者からみて右手側に取り付けられた状態を表している。便座本体９１は、赤外線受光部９２を有し、便器本体９０の上に設置され、リモコン装置７０により制御される。リモコン装置７０は、右壁面９５Ｒにリモコン保持具６０Ｒにより設置されている。
【００５８】
リモコン装置７０は、リモコン保持具６０Ｒに取り付けられた際に、右突出部６６Ｒが右側接点スイッチ５６Ｒを押下した状態となる。リモコン装置７０は、制御手段３８により、使用者の右手側の右壁面９５Ｒに取り付けられたことの方向情報を検出し、記憶手段３６を有するリモコン装置７０の場合、記憶手段３６に方向情報を記憶する。
【００５９】
制御手段３８は、方向情報を元に、操作入力手段３１のスイッチ配列の再配列を行い、例えば、リモコン装置７０に向かって、左側が「前スイッチ」、同じく右側が「後スイッチ」へと内部的に変更する。表示手段３２を有するリモコン装置７０の場合は、同時に表示手段３２への表示内容も変更する。また、このスイッチ配列、及び表示内容は、記憶手段３６を有する場合は、記憶手段３６に記憶される。
【００６０】
リモコン装置７０は、再配列されたスイッチ配列に従って、操作入力手段３１の操作入力手段を操作情報として赤外線発光部５９に送信し、便座本体を制御する。  
なお、本実施例においては、リモコン保持具６０Ｒ、リモコン装置７０を用いた便座装置８０を例示したが、リモコン保持具６０ａ、６０ｂを用いることもできる。
【００６１】
図１０は、本発明の実施形態に係る便座装置を設置したトイレ空間を例示する他の斜視図である。  
図１０に表したように、本実施例の便座装置８０は、リモコン装置７０及び便座本体９１とを有する。  
図１０においては、リモコン装置７０が便座本体９１に座った使用者からみて左手側に取り付けられた状態を表している。便座本体９１は、赤外線受光部９２を有し、便器本体９０の上に設置され、リモコン装置７０により制御される。リモコン装置７０は、左壁面９５Ｌにリモコン保持具６０Ｌにより設置されている。
【００６２】
リモコン装置７０は、リモコン保持具６０Ｌに取り付けられた際に、左突出部６６Ｌが、左側接点スイッチ５６Ｌを押下した状態となる。リモコン装置７０は、使用者の左手側の左壁面９５Ｌに取り付けられたことの方向情報を検出し、記憶手段３６を有するリモコン装置７０の場合、記憶手段３６に方向情報を記憶する。
【００６３】
制御手段３８は、方向情報を元に、操作入力手段３１のスイッチ配列の再配列を行い、例えば、リモコン装置７０に向かって、左側が「後スイッチ」、同じく右側が「前スイッチ」へと内部的に変更する。表示手段３２を有するリモコン装置７０の場合は、同時に表示手段３２への表示内容も変更する。また、このスイッチ配列、及び表示内容は、記憶手段３６を有する場合は、記憶手段３６に記憶される。
【００６４】
このように、便座装置８０によれば、使用者が温水洗浄便座などの機器をリモコン装置にて遠隔操作する際の操作性が向上し、違和感なく操作することができる。  
また、リモコン装置７０が、表示手段３２を有する場合は、取り付け位置により、リモコン装置７０の表示を適正に変更することができ、操作性がさらに向上する。
【００６５】
例えば、液晶などの表示装置を備えていた場合、リモコン装置７０が使用者の右手側の壁や使用者の左手側の壁に取り付いていることを認識した際に、取り付け壁状況に伴い液晶上の「強く」「弱く」等の文字配列や、液晶のピクトグラム表示などを変更することができる。
【００６６】
また、リモコン装置７０が、記憶手段３６を有する場合は、リモコン装置７０をリモコン保持具６０Ｌ、６０Ｒから取り外したときに、リモコン装置７０の取り付けに関する方向情報を記憶することができる。例えば、電池交換の際や使用者が手に持ってのリモコン装置７０を操作する時に、リモコン装置７０をリモコン保持具６０Ｌ、６０Ｒから取り外しての操作等も考えられる。リモコン装置７０がリモコン保持具６０Ｌ、６０Ｒから取り外されている際には、最後に取り付けられた壁状況に関する方向情報を、リモコン装置７０が次にリモコン保持具６０Ｌ、６０Ｒに取り付けられるまで記憶することができる。これにより、操作性が向上する。
【００６７】
さらに、リモコン装置７０をリモコン保持具６０Ｌ、６０Ｒから取り外したときに、所定時間だけリモコン装置７０の取り付けの方向情報を記憶することができる。例えば、電池交換や使用者が手に持ってのリモコン装置７０の操作時に、リモコン装置７０をリモコン保持具６０Ｌ、６０Ｒから取り外しての操作も考えられる。リモコン装置７０がリモコン保持具６０Ｌ、６０Ｒから取り外されている際には、所定時間（例えば５分）、最後に取り付けられた壁状況に関する方向情報を、記憶することもできる。この所定時間は、所定の操作にて変更することも可能である。これにより、操作性がさらに向上する。
【００６８】
以上、具体例を参照しつつ、本発明の実施形態について説明した。しかし、本発明は、これらの具体例に限定されるものではない。例えば、リモコン装置及び便座装置を構成する各要素の具体的な構成に関しては、当業者が公知の範囲から適宜選択することにより本発明を同様に実施し、同様の効果を得ることができる限り、本発明の範囲に包含される。
【００６９】
また、各具体例のいずれか２つ以上の要素を技術的に可能な範囲で組み合わせたものも、本発明の要旨を包含する限り本発明の範囲に含まれる。  
その他、本発明の実施形態として上述したリモコン装置及び便座装置を基にして、当業者が適宜設計変更して実施し得る全てのリモコン装置及び便座装置も、本発明の要旨を包含する限り、本発明の範囲に属する。  
その他、本発明の思想の範疇において、当業者であれば、各種の変更例及び修正例に想到し得るものであり、それら変更例及び修正例についても本発明の範囲に属するものと了解される。
【符号の説明】
【００７０】
１０ａ〜ｆ  入力スイッチ（操作入力手段）、  ２０ａ〜ｎ  表示、  ３１  入力手段、  ３２  表示手段、  ３５  取付け壁認識手段、  ３６  記憶手段、  ３７  通信手段、  ３８  制御手段、  ３９  赤外線信号、  ５０  リモコン筐体、  ５１  電池蓋、  ５２、５５  リモコン保持部、  、  ５６Ｌ  左側接点スイッチ（取付け壁認識手段）、  ５６Ｒ  右側接点スイッチ（取付け壁認識手段）、  ５９  赤外線発光部、  ６０ａ〜Ｒ  リモコン保持具、  ６１  リモコン保持具本体、  ６２  リモコン保持具取付け穴、  ６３、６４  リモコン保持具取付け用表示、  ６５ａ〜Ｒ  リモコン保持部、  ６６Ｌ  左突出部、  ６６Ｒ  右突出部（取付け壁示唆手段）、  ６７Ｌ〜Ｒ  補佐手段、  ７０  リモコン装置、  ９０  便器本体、  ９１  便座本体、  ９２  赤外線受光部、  ９５Ｒ  右壁面、  ９５Ｌ  左壁面
【図１】
2010229754.tif 000003
【図２】
2010229754.tif 000004
【図３】
2010229754.tif 000005
【図４】
2010229754.tif 000006
【図５】
2010229754.tif 000007
【図６】
2010229754.tif 000008
【図７】
2010229754.tif 000009
【図８】
2010229754.tif 000010
【図９】
2010229754.tif 000011
【図１０】
2010229754.tif 000012